(57)【要約】【課題】顔に目、鼻、口、耳を描かずに木肌を露出させて木目を生かした表情や木肌の温もりを残し、腕部を可動できる人形を提供する。【解決手段】人体と同形状の頭部１２、頸部１４、肩部１６、腕部１８、胴部２０、腰部２２、大腿部２４、脛部２６、足部２８を、すべて木材で構成し、腕部１８と肩部１６とを、腕部１８に設けられた腕貫通孔３０に挿通され、かつ肩部１６から胴部２０の背面を貫通する胴貫通孔３４に挿通されて胴部２０の背面で結束された上紐３６を介して連結し、足部２８における木目模様３８を正面４４から見て縦方向に表れるようにした。【選択図】図１
2006247153.tif 000002
【特許請求の範囲】
【請求項１】
人体と同形状の頭部、頸部、肩部、腕部、胴部、腰部、大腿部、脛部、足部を、すべて木材で構成し、
前記腕部と前記肩部とを、前記腕部に設けられた腕貫通孔に挿通され、かつ前記肩部から前記胴部の背面を貫通する胴貫通孔に挿通されて前記胴部の背面で蝶結びで結束された上紐を介して連結し、
前記足部における木目模様を正面から見て縦方向に表れるようにしたことを特徴とする人形。
【請求項２】
請求項１に記載の人形において、
前記頭部、頸部、肩部、胴部、腰部、大腿部を一体に構成し、
一体構成で連なる前記腰部と前記大腿部の下面を同一平坦面とし、
前記大腿部の正面と前記脛部の上端とを下紐を介して連結したことを特徴とする人形。
【請求項３】
請求項２に記載の人形において、
前記大腿部の正面と前記脚部の膝部とを連結した前記下紐は、前記脚部の膝部を横断する膝貫通孔に挿通されて前記膝部と前記大腿部の正面との間で縦結びをされ、さらに前記大腿部の正面から前記腰部の背面を貫通する腰貫通孔に挿通され前記腰部の背面で結束されたことを特徴とする人形。
【請求項４】
請求項２又は３に記載の人形において、
前記下紐は、前記腰部の背面において蝶結びで結束されていることを特徴とする人形。
【請求項５】
請求項１に記載の人形において、
前記頭部、頸部、肩部、胴部、腰部、大腿部、脛部、足部を、全体が前傾姿勢の状態となるように一体に構成し、
前記足部の下面のほぼ中央に、全体の重心が作用するようにしたことを特徴とする人形。
【請求項６】
請求項１ないし５のいずれかに記載の人形において、
顔面に目、鼻、口、耳を描かずに、前記頭部の、顎部を除く全面を、毛髪および帽子で包覆し、
前記胴部、腰部、大腿部に衣服を装着したことを特徴とする人形。
【発明の詳細な説明】
【技術分野】
【０００１】
本発明は、人体と同様の頭部、頸部、胴部、腰部、腕部、脚部を構成し、腕部、脚部を紐で連結してなる木製の人形に関する。
【背景技術】
【０００２】
従来から各種の人形が提供されている。これらの人形は、形態、素材の材質、着衣の有無、上肢や下肢等の可動の有無、顔面模写その他の種々要素の組み合わせによって特徴付けられている。木製の人形で、単純な動きと木の材質を生かした人形は好まれている。人体に模した各部を木材で構成してなる人形は周知である（例えば、特許文献１参照）。
【特許文献１】実用新案登録第３０６８７０３号公報
【発明の開示】
【発明が解決しようとする課題】
【０００３】
ところで、上記の技術には、次のような解決すべき課題があった。
従来の木製の人形は、頭部に毛髪を装着し、顔面に目、鼻、口、耳等を描き、ほぼ全身に衣服を着せているため、せっかくの木肌の美しさが表れていない。
【０００４】
本発明は、以上の点に着目してなされたもので、顔に目、鼻等を描かずに木肌を露出させて木目を生かした表情や木肌の温もりを残し、腕部を可動できる人形を提供することを目的とする。
【課題を解決するための手段】
【０００５】
本発明の各実施例においては、それぞれ次のような構成により上記の課題を解決する。
〈構成１〉
人体と同形状の頭部、頸部、肩部、腕部、胴部、腰部、大腿部、脛部、足部を、すべて木材で構成し、上記腕部と上記肩部とを、上記腕部に設けられた腕貫通孔に挿通され、かつ上記肩部から上記胴部の背面を貫通する胴貫通孔に挿通されて上記胴部の背面で蝶結びで結束された上紐を介して連結し、上記足部における木目模様を正面から見て縦方向に表れるようにしたことを特徴とする人形。
【０００６】
足部における木目模様が正面から見て縦方向に表れるようにしたことにより、特に足部の欠損を起こり難くすることができる。
腕部を前後に動かして人間と同様な動作を模することができる。
上紐が蝶結びで結束されていることにより解け難くなっており、腕部を堅固に保持できる。
【０００７】
〈構成２〉
構成１に記載の人形において、上記頭部、頸部、肩部、胴部、腰部、大腿部を一体に構成し、一体構成で連なる上記腰部と上記大腿部の下面を同一平坦面とし、上記大腿部の正面と上記脛部の上端とを下紐を介して連結したことを特徴とする人形。
【０００８】
前記腰部と前記大腿部の下面を同一平坦面としたことにより、台等に安定よく座らせて置くことができる。腕部を前後に、また脛部を左右にそれぞれ動かせることから、単純な動作で人間と同様な動作を模することができる。
【０００９】
〈構成３〉
構成２に記載の人形において、上記大腿部の正面と上記脚部の膝部とを連結した上記下紐は、上記脚部の膝部を横断する膝貫通孔に挿通されて上記膝部と上記大腿部の正面との間で縦結びをされ、さらに上記大腿部の正面から上記腰部の背面を貫通する腰貫通孔に挿通され上記腰部の背面で結束されたことを特徴とする人形。
【００１０】
下紐を脚部の膝部と大腿部正面との間で縦結びをしたことにより、下紐を軸として脚部を左右に揺動したとき、正面から見て真直ぐに縦方向を向く平常の姿勢に復元する。
【００１１】
〈構成４〉
構成２又は３に記載の人形において、上記下紐は、上記腰部の背面において蝶結びで結束されていることを特徴とする人形。
【００１２】
下紐が蝶結びで結束されていることにより解け難くなっており、脚部を堅固に保持できる。
【００１３】
〈構成５〉
構成１に記載の人形において、上記頭部、頸部、肩部、胴部、腰部、大腿部、脛部、足部を、全体が前傾姿勢の状態となるように一体に構成し、上記足部の下面のほぼ中央に、全体の重心が作用するようにしたことを特徴とする人形。
【００１４】
足部のほぼ中央に、全体の重心が作用するようにしたことにより、前傾姿勢を保った状態で立たせて置くことができる。
【００１５】
〈構成６〉
構成１ないし５のいずれかに記載の人形において、顔面に目、鼻、口、耳を描かずに、上記頭部の、顎部を除く全面を、毛髪および帽子で包覆し、上記胴部、腰部、大腿部に衣服を装着したことを特徴とする人形。
【００１６】
顔面に目、鼻、口、耳を描かずに、頭部の顎部、腕部、脛部、足部のみの木肌を露出することにより、木目を生かした表情や木の肌の温もりを残しつつ一層愛らしい印象を与えることができる。
【発明を実施するための最良の形態】
【００１７】
以下、本発明の実施の形態を実施例ごとに詳細に説明する。
【実施例１】
【００１８】
図１ないし図６は実施例１の人形を示す図で、図１は正面図、図２は解体図、図３は背面図、図４は右側面図、図５は左側面図、図６は使用説明図である。
これらの図に示すように、実施例１の人形は、人体と同形状の頭部１２、頸部１４、肩部１６、左右２つの腕部１８、胴部２０、腰部２２、大腿部２４、左右２つの脛部２６（膝から踝までの間の部分）および足部２８（足首から下の部分）からなり、これらはすべて木材により構成されている。
【００１９】
頭部１２、頸部１４、肩部１６、胴部２０、腰部２２、大腿部２４は一体に構成されている。左右２つの腕部１８は上紐３６を介して肩部１６に連結されている。左右２つの脛部２６および足部２８は、一体に構成され、下紐４６を介して大腿部２４の正面４４に連結されている。
上紐３６および下紐４６は、適度の可撓性と耐久性を備える凧糸が２本ずつ使用され、各１本ずつで各腕部１８および脛部２６の各上端をそれぞれ連結している。
なお、上紐３６および下紐４６としては、凧糸だけでなく、例えば、適度の可撓性と耐久性を備えていれば、ナイロン等のプラスチック紐、テングス糸、金属線、各種材質の細い組紐等を使用してもよい。
【００２０】
すなわち、２本の上紐３６は、それぞれ各腕部１８の上部に設けられた腕貫通孔３０に挿通され、かつ肩部１６から胴部２０の背面を貫通する胴貫通孔３４に挿通されて胴部２０の背面で両端がそれぞれ蝶結び５６（図３）で結束されている。
【００２１】
各上紐３６の蝶結び５６は、胴部２０の背面に開口する胴貫通孔３４の外側で留まるようにするために膨出している。しかし、各上紐３６の蝶結び５６は、胴部２０背面の、胴貫通孔３４の開口面に設けられた皿状の凹面３５内に没入するようにされ、外方にはほとんど突出しないようにされている。上紐３６の両端部を蝶結び５６で結束したときは、解け難くなり腕部１８を堅固に保持しうる。
【００２２】
また、２本の下紐４６は、それぞれ各脛部２６の膝部を横断する膝貫通孔４８に挿通されて膝部と大腿部２４の正面４４との間で縦結び５０（図４）をされ、さらに大腿部２４の正面４４から腰部２２の背面を貫通する腰貫通孔５２に挿通され腰部２２の背面でそれぞれ蝶結び５６（図３）で結束されている。
【００２３】
各下紐４６の蝶結び５６も、腰部２２の背面を貫通する腰貫通孔５２の外側で留まるようにするために膨出しているが、腰部２２背面の、腰貫通孔５２の開口面に設けられた凹面５１内に没入されて外方にはほとんど突出しないようにされている。下紐４６の両端部を蝶結び５６で結束したときは、解け難くなり脛部２６を堅固に保持しうる。
【００２４】
一体構成で連なる腰部２２と大腿部２４の下面４２は同一平坦面とされている。腰部２２と大腿部２４の下面４２を同一平坦面としたことにより、人形用の椅子や台等に安定よく座らせて置くことができる。腕部１８を前後に、また脛部２６を左右にそれぞれ動かすことができる。人間と同様な動作を模することができる。
【００２５】
頭部１２、頸部１４、肩部１６、左右２つの腕部１８、胴部２０、腰部２２、大腿部２４、左右２つの脛部２６および足部２８は、図１に示すように、すべて正面から見て木目模様３８が縦方向に表れるようにして、木肌の美しさを強調すると共に、機械的強度の増大を図っている。
【００２６】
例えば、足部２８における木目模様３８が正面から見て縦方向に表れていない場合は、人形制作中での足部の切削成形時や鑑賞中に落下して床面に衝突した時に、特に足部２８の底面近傍の欠損が起こり易い。しかし、本発明の人形のように、足部２８における木目模様３８が正面から見て縦方向に表れるようにした場合は、足部２８の底面近傍の欠損を起こり難くすることができる。
【００２７】
脚部の膝部と大腿部２４正面４４との間は、下紐４６の両端が上下の縦に出るように結ぶ、いわゆる縦結び５０をしている。このようにすると、下紐４６を軸として脚部を左右に揺動したとき、正面４４から見て真直ぐに縦方向を向く平常の姿勢に復元する。下紐４６を、縦結び５０をしない状態では脚部を左右に揺動したときは、脚部が図６に示すように傾斜したままとなり、人為的に矯正しない限り脚部が真直ぐに縦方向を向く姿勢にならなくなる。
【００２８】
図７は、実施例１の人形の頭部１２の、顎部を除く全面を、毛髪および帽子３９で包覆し、胴部２０、腰部２２、大腿部２４に衣服４０を装着した状態を示す。
図のように顔面に目、鼻、口、耳を描かずに木肌を露出することにより、木目を生かした表情や木の肌の温もりを残し、愛らしい印象を与えることができる。
【実施例２】
【００２９】
図８および図９は実施例２の人形を示す図で、図１と同一部分には同一符号を付している。
図８に示すように、実施例２の人形は、頭部１２、頸部１４、肩部１６、胴部２０、腰部２２、大腿部２４、脛部２６、足部２８を、全体が前傾姿勢の状態となるように一体に構成し、腕部１８を肩部１６に上紐３６を介して連結したものである。腕部１８と肩部１６とを上紐３６を介して連結する構成は、実施例１の人形と同一構成である。そして、足部下面４２のほぼ中央に、全身の重心が作用するようにして前傾姿勢を保った状態で床面６０に立たせて置けるようにされている。
【００３０】
図９は、実施例２の人形の頭部１２の、顎部を除く全面を、毛髪および帽子３９で包覆し、胴部、腰部、大腿部に衣服４０を装着した状態を示す。
図のように顔面に目、鼻、口、耳を描かずに木肌を露出することにより、木目を生かした表情や木肌の温もりを残しつつ愛らしい印象を与えることができる。
【図面の簡単な説明】
【００３１】
【図１】実施例１の人形を示す正面図。
【図２】同解体図。
【図３】同背面図。
【図４】同右側面図。
【図５】同左側面図。
【図６】同使用説明図。
【図７】実施例１の人形に毛髪および帽子を付け、胴部、腰部、大腿部に衣服を装着した状態を示す正面図。
【図８】実施例２の人形を示す側面図。
【図９】実施例２の人形に毛髪および帽子を付け、胴部、腰部、大腿部に衣服を装着した状態を示す側面図。
【符号の説明】
【００３２】
１２  頭部
１４  頸部
１６  肩部
１８  腕部
２０  胴部
２２  腰部
２４  大腿部
２６  脛部
２８  足部
３０  腕貫通孔
３２  胴部の背面
３４  胴貫通孔
３６  上紐
３８  木目模様
４６  下紐
４８  膝貫通孔
５０  縦結び
５２  腰貫通孔
５６  蝶結び
【図１】
2006247153.tif 000003
【図２】
2006247153.tif 000004
【図３】
2006247153.tif 000005
【図４】
2006247153.tif 000006
【図５】
2006247153.tif 000007
【図６】
2006247153.tif 000008
【図７】
2006247153.tif 000009
【図８】
2006247153.tif 000010
【図９】
2006247153.tif 000011